(57)【要約】【課題】低コストで製造することができるロック体およびこのロック体を備えた籠を提供する。【解決手段】仕切り体２に設けられた開口３の周縁部３ａにヒンジ部４を介して一端部５が連結される扉６を閉じた状態でロックするためのロック体Ｌであって、閉じた状態の扉６の前記一端部５以外の端部８と開口３の周縁部３ａとの両方を挟むロック位置と、いずれか一方のみを挟むかまたは両方とも挟まないアンロック位置とにスライド移動するように構成した本体９を有する。【選択図】　　　図１
0003098331.tif 000002
【実用新案登録請求の範囲】
【請求項１】
仕切り体に設けられた開口の周縁部にヒンジ部を介して一端部が連結される扉を閉じた状態でロックするためのロック体であって、閉じた状態の扉の前記一端部以外の端部と開口の周縁部との両方を挟むロック位置と、いずれか一方のみを挟むかまたは両方とも挟まないアンロック位置とにスライド移動するように構成した本体を有することを特徴とするロック体。
【請求項２】
前記本体が１つの部材よりなる請求項１に記載のロック体。
【請求項３】
前記本体が、前記仕切り体または扉に設けられた前記ロック位置からアンロック位置に向けて延びる線状部分によりガイドされるように構成した請求項２に記載のロック体。
【請求項４】
前記本体が、前記開口の周縁部または扉の一端部以外の端部に弾性部材を介して連結されており、前記弾性部材によりアンロック位置からロック位置にスライドするように付勢されている請求項２または３に記載のロック体。
【請求項５】
前記アンロック位置が仕切り体内にある請求項２〜４のいずれかに記載のロック体。
【請求項６】
前記アンロック位置が扉内にある請求項２〜４のいずれかに記載のロック体。
【請求項７】
請求項１〜６のいずれかに記載のロック体を備えたことを特徴とする籠。
【考案の詳細な説明】
【０００１】
【考案の属する技術分野】
本考案は、ロック体およびこのロック体を備えた籠に関する。
【０００２】
【従来の技術】
小鳥や子犬などの小動物を収容するための籠として、天井壁、底壁および側壁を有し、側壁のうちの一面の壁が網状の仕切り体からなり、前記仕切り体に設けられた開口の周縁部にヒンジ部を介して一端部が連結される扉を設け、前記開口を通して小動物を籠の内外に出入りさせるようにしたものがある。
【０００３】
そして、前記籠には、扉を閉じた状態でロックするためにロック体が用いられており、そのような従来のロック体として、閉じた状態の扉の端部と開口の周縁部との両方を挟むことができるロック位置に配置されるストッパ部分およびスライド部分と、固定つまみおよび摺動つまみと、この摺動つまみを固定つまみから遠ざける方向に付勢する弾性部材（図示せず）とを備え、前記スライド部分が、前記摺動つまみの摺動に伴って前記ロック位置から退くように構成されたものがある。
【０００４】
上記の構成からなるロック体では、前記弾性部材の付勢に逆らって前記摺動つまみを固定つまみに近づける方向に動かすと、前記スライド部分がロック位置から退く。すなわち、前記摺動つまみを操作することで、扉をロックした状態と、扉のロックを解除した状態とに切り換えることができる。
【０００５】
【考案が解決しようとする課題】
しかし、上記従来のロック体は、３つ以上の部材からなる複雑な構造を有していたため、その分だけ製造コストが上昇することとなっていた。
【０００６】
本考案は上記の点を考慮にいれてなされたものであって、低コストで製造することができるロック体およびこのロック体を備えた籠を提供することを目的としている。
【０００７】
【課題を解決するための手段】
上記の目的を達成するために、本考案のロック体は、仕切り体に設けられた開口の周縁部にヒンジ部を介して一端部が連結される扉を閉じた状態でロックするためのロック体であって、閉じた状態の扉の前記一端部以外の端部と開口の周縁部との両方を挟むロック位置と、いずれか一方のみを挟むかまたは両方とも挟まないアンロック位置とにスライド移動するように構成した本体を有する（請求項１）。
【０００８】
また、前記本体は１つの部材よりなるとしてもよい（請求項２）。
【０００９】
上記の構成によれば、低コストで製造することができるロック体を提供することが可能となる。
【００１０】
すなわち、前記ロック体は、構造が非常にシンプルであり、本体を１部材のみから構成することができるため、製造コストの低減を図ることが容易となる。
【００１１】
また、前記本体が、前記仕切り体または扉に設けられた前記ロック位置からアンロック位置に向けて延びる線状部分によりガイドされるように構成したとしてもよい（請求項３）。この場合には、ロック位置にある扉の前記一端部以外の端部と開口の周縁部との両方に対して垂直な方向に延びる線状部分を利用することができ、そのような線状部分は網状の仕切り体に必然的に形成されていることから、ロック体を網状の仕切り体を有する籠などに広く適用することが可能となり、ロック体が汎用性に優れたものとなる。
【００１２】
さらに、前記本体が、前記開口の周縁部または扉の一端部以外の端部に弾性部材を介して連結されており、前記弾性部材によりアンロック位置からロック位置にスライドするように付勢されているとしてもよい（請求項４）。この場合、ロック位置にある前記本体をアンロック位置に移動させる際には、手動により前記弾性部材の付勢に抗して本体をスライドさせる必要があるが、アンロック位置にある本体をロック位置に戻す際には、本体から手を離すだけでよく、これにより、本体が自動的にロック位置に戻ることとなり、それだけ扱いが容易で便利なものとなる。
【００１３】
また、前記アンロック位置が仕切り体内にあるとしてもよく（請求項５）、前記アンロック位置が扉内にあるとしてもよい（請求項６）。前記アンロック位置が仕切り体内にある場合には本体を仕切り体側に取り付け、アンロック位置が扉内にあるとした場合には本体を扉側に取り付けることとなる。すなわち、ロック体を取り付ける位置は、仕切り体および扉の構造などに応じて臨機応変に設定することが可能である。
【００１４】
一方、本考案の籠は、請求項１〜６のいずれかに記載のロック体を備えた（請求項７）。
【００１５】
上記の構成からなる籠では、上述したロック体によって得られる効果を同様に得ることができる。
【００１６】
【考案の実施の形態】
以下、本考案の実施例を、図を参照しながら説明する。
図１は、本考案の一実施例に係るロック体Ｌを備えた籠１の構成を概略的に示す斜視図、図２は、前記籠１の前面部の構成を概略的に示す正面図である。
籠１は、小鳥や子犬などの小動物を収容するためのものであり、天井壁１ａ、底壁１ｂおよび側壁１ｃを有するほぼ直方体形状または立方体形状をしており、四面ある前記側壁１ｃのうちの一面（本実施例では前面部）が網状の仕切り体２によって構成されている。
【００１７】
そして、前記仕切り体２にはほぼ矩形状の開口３が設けられており、この開口３の周縁部３ａにヒンジ部４を介して一端部（本実施例では下端部）５が連結される扉６を設け、前記開口３を通して小動物を籠１の内外に出入りさせるように構成してある。
【００１８】
前記ヒンジ部４は、扉６の一端部（下端部）の両端付近にそれぞれ設けられた環状部分からなり、前記開口３の周縁部３ａを構成する線状部分７が前記ヒンジ部４を挿通するように構成してある。
【００１９】
図３および図４は、表側および裏側からみた前記ロック体Ｌの構成を概略的に示す斜視図である。
前記ロック体Ｌは、仕切り体２に設けられた開口３の周縁部３ａにヒンジ部４を介して一端部５が連結される扉６を閉じた状態でロックするためのものであり、閉じた状態の扉６の前記一端部５以外の端部（本実施例では一端部５の反対側の端部である上端部）８と開口３の周縁部３ａとの両方を挟むロック位置と、いずれか一方のみを挟むかまたは両方とも挟まないアンロック位置とにスライド移動するように構成した本体９を有する。なお、本実施例において、前記アンロック位置は、仕切り体２内（仕切り体２の上部）に設けられている。
【００２０】
前記本体９は、例えば射出成形により成形された１つの部材よりなり、前記仕切り体２または扉６（本実施例では仕切り体２）に設けられた前記ロック位置からアンロック位置に向けて延び、互いに平行な２つの線状部分１０によりガイドされるように構成してある。なお、前記線状部分１０は、ロック位置にある前記端部８および周縁部３ａの両方と垂直な方向に延びている。
【００２１】
そして、前記本体９には、前記線状部分１０を挿通させるように適宜の部分に切り欠き溝１１が設けられており、また、線状部分１０によるガイドが外れることを防止するための断面ほぼＬ字形状のガイド受け部分１２が設けられている。
【００２２】
また、前記本体９には、閉じた状態の扉６の前記一端部５以外の端部８と開口３の周縁部３ａとの両方を挟むための挟み込み部１３を有している。この挟み込み部１３は、本体９の一面側（表側）付近から側方に向けて連設された板部分１３ａと、本体９の他面側（裏側）付近から側方に向けて連設された２つの板部分１３ｂとからなり、正面視において前記２つの板部分１３ｂが板部分１３ａを挟むように構成されている。
【００２３】
さらに、前記本体９は、前記開口３の周縁部３ａまたは扉６の前記一端部５以外の端部８（本実施例では扉６の端部８）に弾性部材１４を介して連結されており、前記弾性部材１４によりアンロック位置からロック位置にスライドするように付勢されている。なお、前記弾性部材１４は、例えば、両端に係止部を有する引っ張り用のコイルばねからなり、その一端が前記端部８に係止し、他端が本体９のほぼ中央に設けられた被係止部１５に係止する。
【００２４】
次に、上記の構成からなるロック体Ｌを用いて扉６のロックとその解除を行う方法について説明する。
図２は、ロック体Ｌを用いて扉６をロックした状態を示している。そして、この状態から扉６を開けることができるようにロックを解除した状態とするには、ロック位置にある前記ロック体Ｌを前記弾性部材１４の付勢に抗してアンロック位置へと動かす（本実施例では、前記ロック体Ｌを上方に持ち上げる）だけでよい。この操作により、前記扉６のロックは解除された状態となる。その後、持ち上げたロック体Ｌを離すと、前記弾性部材１４の付勢によってロック体Ｌは再びロック位置戻る。
【００２５】
一方、開閉自在な状態の扉６をロックした状態とするには、まず、ロック位置にある前記ロック体Ｌを前記弾性部材１４の付勢に抗してアンロック位置へと動かす（本実施例では、前記ロック体Ｌを上方に持ち上げる）。続いて、扉６を閉めた状態とし、最後に、持ち上げておいたロック体Ｌを離し、前記弾性部材１４の付勢によってアンロック位置に退いていたロック体Ｌをロック位置に戻すだけでよい。この操作により、扉６はロックされた状態となる。
【００２６】
なお、本実施例のロック体Ｌでは、その成形の都合上、図３に示すように、ロック体Ｌの表側において前記ガイド受け部分１２および被係止部１５を設けた位置と対応する位置にそれぞれ開口１２ａ，１５ａが形成されているが、図５に示すように、前記開口１２ａ，１５ａを形成しないように構成してもよい。
【００２７】
また、本実施例では、前記ロック体Ｌを仕切り体２側に取り付けて、アンロック位置が仕切り体２内にあるように構成してあるが、このような構成に限られず、例えば、図６に示すように、前記ロック体Ｌを扉６側に取り付けて、アンロック位置が扉６内にあるように構成してもよい。
【００２８】
ここで、前記ロック体Ｌをガイドする前記線状部分１０に相当する部分が仕切り体２や扉６に存在しない場合には、線状部分１０に相当する部分を形成すればよい。
【００２９】
また、上記の構成からなるロック体Ｌは、本体９と弾性部材１４との２部材のみからなるが、見栄えをよくするために、本体９の裏側を覆う化粧板（図示せず）を設けるようにしてもよい。
【００３０】
【考案の効果】
以上説明したように、本考案によれば、低コストで製造することができるロック体およびこのロック体を備えた籠を提供することが可能となる。
【００３１】
すなわち、前記ロック体は、構造が非常にシンプルであり、本体を１部材のみから構成することができるため、製造コストの低減を図ることが容易となる。
【図面の簡単な説明】
【図１】本考案の一実施例に係るロック体を備えた籠の構成を概略的に示す斜視図である。
【図２】前記籠の前面部の構成を概略的に示す正面図である。
【図３】表側からみた前記ロック体の構成を概略的に示す斜視図である。
【図４】裏側からみた前記ロック体の構成を概略的に示す斜視図である。
【図５】表側からみた前記ロック体の変形例の構成を概略的に示す斜視図である。
【図６】前記ロック体の取り付け位置を変えた籠の前面部の変形例の構成を概略的に示す正面図である。
【符号の説明】
２…仕切り体、３…開口、３ａ…周縁部、４…ヒンジ部、５…一端部、６…扉、８…端部、９…本体、Ｌ…ロック体。
【図１】
0003098331.tif 000003
【図２】
0003098331.tif 000004
【図３】
0003098331.tif 000005
【図４】
0003098331.tif 000006
【図５】
0003098331.tif 000007
【図６】
0003098331.tif 000008